(57)【要約】      （修正有）【課題】構造がシンプルで経済性が高いコンパクトタイプステップスイング運動フィットネスマシンを提供する。【解決手段】フレーム台１の両端にキャスター１３を備え、床面上のフレーム体に横方向に設置でき、中央サポートフレーム台１４上には縦方向のラバー軸棒１０を接続し、ラバー軸棒の前後端には、横方向にスイングする弧状フレーム台２を接続する。フレーム台１のラバー軸棒がない位置の前後は、それぞれ牽引棒１２により、ペダル３０を有する左右ペダルフレーム３と枢接する。左右ペダルフレーム３は弧状フレーム台２と相互に枢接し、弧状フレーム台或いは左右ペダルフレームの外端には、上向きのハンドル棒４或いはプルワイヤー５を、それぞれ螺合する。両手で左右のハンドル棒或いはプルワイヤーの上端を握り、足でペダルを順番に踏み込むことにより、弧状フレーム台２を連動し、ラバー軸棒のねじりによりスイングねじりバランス運動を行うことができる。【選択図】図２
0003199567.tif 000002
【実用新案登録請求の範囲】
【請求項１】
フレーム台、弧状フレーム台、ペダルフレーム、ハンドル棒を有するコンパクトタイプステップスイング運動フィットネスマシンであって、
前記フレーム台両端はキャスターで、床面上のフレーム体に横方向に設置でき、中央サポートフレーム台上には、縦方向のラバー軸棒を固定して接続し、且つ前記ラバー軸棒前後端には、横方向にスイングする弧状フレーム台を固定して接続し、
前記横方向フレーム台の中央サポートフレーム台のラバー軸棒でない位置の前後は、それぞれ牽引棒により、ペダルを有する左右ペダルフレームと相互に枢接し、
前記左右ペダルフレームは弧状フレーム台と相互に枢接し、また前記左右ペダルフレーム外端には、上向きのハンドル棒を螺合することを特徴とするコンパクトタイプステップスイング運動フィットネスマシン。
【請求項２】
前記弧状フレーム台外端には、プルワイヤーを螺合することを特徴とする請求項１に記載のコンパクトタイプステップスイング運動フィットネスマシン。
【考案の詳細な説明】
【技術分野】
【０００１】
本考案はコンパクトタイプステップスイング運動フィットネスマシンに関し、特に両端はキャスターで、床面上の横方向フレーム台に設置でき、その中央サポートフレーム台上には縦方向のラバー軸棒を固定して接続し、且つラバー軸棒の前後端には横方向にスイングする弧状フレーム台を固定して接続し、また横方向フレーム台中央サポートフレーム台のラバー軸棒でない位置の前後は、それぞれ牽引棒によりペダルを有する左右ペダルフレームと相互に枢接し、左右ペダルフレームは弧状フレーム台と相互に枢接し、また弧状フレーム台或いは左右ペダルフレーム外端には上向きのハンドル棒或いはプルワイヤーをそれぞれ螺合でき、両足でペダル上にそれぞれ立ち、両手で左右のハンドル棒或いはプルワイヤー上端を握り、左右の足を順番に上下に力を入れて踏み込むことで、ペダルは上下移動を生じ、こうして弧状フレーム台を連動しラバー軸棒をねじり、及び左右スイング移動を生じさせ、並びにラバー軸棒のねじりにより自動的に回復する引力を生じ、往復ステップするならスイングねじりバランス運動を行え、こうして構造をシンプルにし、コストを引き下げ、組立てをスピードアップする効果を実現できるコンパクトタイプステップスイング運動フィットネスマシンに関する。
【背景技術】
【０００２】
バランスのくずれた食生活、運動場所及び運動量の不足に、現代人の健康に対する重視が加わり、フィットネスマシンは誕生した。
【０００３】
一般に、従来のステップ運動フィットネスマシンは、スイングすることで身体のバランスをとる運動効果を備えておらず、さらに、価格が高いか、体積が大きくコンパクト性に欠ける。
特許文献１は、構造及びパーツが煩雑で、コストが高く、組立てに時間がかかるという欠点がある。
これに対して、本考案申請人は特許文献１で改良を行った。
【先行技術文献】
【特許文献】
【０００４】
【特許文献１】台湾特許第３１７１３５１号明細書
【考案の概要】
【考案が解決しようとする課題】
【０００５】
本考案が解決しようとする課題は、コンパクトタイプステップスイング運動フィットネスマシンを提供することである。
【課題を解決するための手段】
【０００６】
上記課題を解決するため、本考案は下記のコンパクトタイプステップスイング運動フィットネスマシンを提供する。
本考案のコンパクトタイプステップスイング運動フィットネスマシンは、フレーム台両端はキャスターで、床面上のフレーム体に横方向に設置でき、中央サポートフレーム台上には縦方向のラバー軸棒を固定して接続し、且つ該ラバー軸棒前後端には、横方向にスイングする弧状フレーム台を固定して接続する。
該横方向フレーム台の中央サポートフレーム台の該ラバー軸棒でない位置の前後は、それぞれ牽引棒により、ペダルを有する左右ペダルフレームと相互に枢接する。
該左右ペダルフレームは弧状フレーム台と相互に枢接し、また該弧状フレーム台或いは該左右ペダルフレーム外端には、上向きのハンドル棒或いはプルワイヤーを、それぞれ螺合する。
両足で該ペダル上にそれぞれ立ち、両手で左右のハンドル棒或いはプルワイヤー上端を握り、左右の足を順番に上下に力を入れて踏み込む。
これにより、該ペダルは相対的な上下移動動作を生じ、こうして該弧状フレーム台を連動し、ラバー軸棒をねじり、及び左右スイング移動を生じさせる。
並びに、該ラバー軸棒のねじりにより、自動的に回復する引力を生じる。
【考案の効果】
【０００７】
本考案の実施形態を応用する特徴の一つは、往復ステップするなら、スイングねじりバランス運動を行うことができ、こうして構造をシンプルにし、コストを引き下げ、組立てをスピードアップする効果を実現することができる。
【図面の簡単な説明】
【０００８】
【図１】本考案の一実施形態の立体図である。
【図２】本考案の一実施形態の部分立体分解図である。
【図３】本考案の一実施形態の立体分解図である。
【図４】本考案による右ステップ機構部分の一実施形態の前視図である。
【図５】本考案による左ステップ機構部分の一実施形態の前視図である。
【考案を実施するための形態】
【０００９】
図１乃至図５に示すとおり、本考案の実施形態によるコンパクトタイプステップスイング運動フィットネスマシンは、フレーム台１、弧状フレーム台、ペダルフレーム、ハンドル棒４、或いはプルワイヤー５を有する。
【００１０】
フレーム台１両端は、キャスター１３で、床面上のフレーム体に横方向に設置することができる。
中央サポートフレーム台１４上には、縦方向のラバー軸棒１０を固定して接続し、且つラバー軸棒１０前後端には、横方向にスイングする弧状フレーム台２を固定して接続する。
【００１１】
また、横方向フレーム台１中央サポートフレーム台１４のラバー軸棒１０でない位置の前後は、それぞれ牽引棒１２により、ペダル３０を有する左右ペダルフレーム３と相互に枢接する。
【００１２】
左右ペダルフレーム３は、弧状フレーム台２と相互に枢接し、また弧状フレーム台２或いは左右ペダルフレーム３外端には、上向きのハンドル棒４或いはプルワイヤー５を、それぞれ螺合することができる。
【００１３】
実際の使用時には、使用者は、両足でペダル３０上にそれぞれ立ち、両手で左右のハンドル棒４或いはプルワイヤー５上端を握り、左右の足を順番に上下に力を入れて踏み込む。
これにより、ペダル３０は、左右ペダルフレーム３を連動し、相対的な上下移動動作を生じさせる。
こうして、弧状フレーム台２を連動し、ラバー軸棒１０をねじり、及び左右スイング移動を生じさせる。
並びに、ラバー軸棒１０のねじりにより、自動的に回復する引力を生じる。
【００１４】
これにおいて、往復ステップするなら、スイングねじりバランス運動を行うことができる。
こうして、構造をシンプルにし、コストを引き下げ、組立てをスピードアップする効果を実現することができる。
【００１５】
前述した本考案の実施形態は本考案を限定するものではなく、よって、本考案により保護される範囲は後述される実用新案登録請求の範囲を基準とする。
【符号の説明】
【００１６】
１  フレーム台
２  弧状フレーム台
３  ペダルフレーム
４  ハンドル棒
５  プルワイヤー
１０  ラバー軸棒
１２  牽引棒
１３  キャスター
１４  中央サポートフレーム台
３０  ペダル
【図１】
0003199567.tif 000003
【図２】
0003199567.tif 000004
【図３】
0003199567.tif 000005
【図４】
0003199567.tif 000006
【図５】
0003199567.tif 000007
【手続補正書】
【提出日】平成27年6月25日(2015.6.25)
【手続補正１】
【補正対象書類名】明細書
【補正対象項目名】全文
【補正方法】変更
【補正の内容】
【考案の詳細な説明】
【技術分野】
【０００１】
本考案はコンパクトタイプステップスイング運動フィットネスマシンに関し、特に両端はキャスターで、床面上の横方向コ形フレーム台に設置でき、その中央サポートフレーム台上には縦方向のラバー軸棒を固定して接続し、且つラバー軸棒の前後端には横方向にスイングする弧状三角フレーム台を固定して接続し、また横方向コ形フレーム台中央サポートフレーム台のラバー軸棒でない位置の前後は、それぞれ牽引棒によりペダルを有する左右ペダルフレームと相互に枢接し、左右ペダルフレームは弧状三角フレーム台と相互に枢接し、また弧状三角フレーム台或いは左右ペダルフレーム外端には上向きのハンドル棒或いはプルワイヤーをそれぞれ螺合でき、両足でペダル上にそれぞれ立ち、両手で左右のハンドル棒或いはプルワイヤー上端を握り、左右の足を順番に上下に力を入れて踏み込むことで、ペダルは上下移動を生じ、こうして弧状三角フレーム台を連動しラバー軸棒をねじり、及び左右スイング移動を生じさせ、並びにラバー軸棒のねじりにより自動的に回復する引力を生じ、往復ステップするならスイングねじりバランス運動を行え、こうして構造をシンプルにし、コストを引き下げ、組立てをスピードアップする効果を実現できるコンパクトタイプステップスイング運動フィットネスマシンに関する。
【背景技術】
【０００２】
バランスのくずれた食生活、運動場所及び運動量の不足に、現代人の健康に対する重視が加わり、フィットネスマシンは誕生した。
【０００３】
一般に、従来のステップ運動フィットネスマシンは、スイングすることで身体のバランスをとる運動効果を備えておらず、さらに、価格が高いか、体積が大きくコンパクト性に欠ける。
特許文献１は、構造及びパーツが煩雑で、コストが高く、組立てに時間がかかるという欠点がある。
これに対して、本考案申請人は特許文献１で改良を行った。
【先行技術文献】
【特許文献】
【０００４】
【特許文献１】台湾特許第３１７１３５１号明細書
【考案の概要】
【考案が解決しようとする課題】
【０００５】
本考案が解決しようとする課題は、コンパクトタイプステップスイング運動フィットネスマシンを提供することである。
【課題を解決するための手段】
【０００６】
上記課題を解決するため、本考案は下記のコンパクトタイプステップスイング運動フィットネスマシンを提供する。
本考案のコンパクトタイプステップスイング運動フィットネスマシンは、コ形フレーム台両端はキャスターで、床面上のフレーム体に横方向に設置でき、中央サポートフレーム台上には縦方向のラバー軸棒を固定して接続し、且つ該ラバー軸棒前後端には、横方向にスイングする弧状三角フレーム台を固定して接続する。
該横方向コ形フレーム台の中央サポートフレーム台の該ラバー軸棒でない位置の前後は、それぞれ牽引棒により、ペダルを有する左右ペダルフレームと相互に枢接する。
該左右ペダルフレームは弧状三角フレーム台と相互に枢接し、また該弧状三角フレーム台或いは該左右ペダルフレーム外端には、上向きのハンドル棒或いはプルワイヤーを、それぞれ螺合する。
両足で該ペダル上にそれぞれ立ち、両手で左右のハンドル棒或いはプルワイヤー上端を握り、左右の足を順番に上下に力を入れて踏み込む。
これにより、該ペダルは相対的な上下移動動作を生じ、こうして該弧状三角フレーム台を連動し、ラバー軸棒をねじり、及び左右スイング移動を生じさせる。
並びに、該ラバー軸棒のねじりにより、自動的に回復する引力を生じる。
【考案の効果】
【０００７】
本考案の実施形態を応用する特徴の一つは、往復ステップするなら、スイングねじりバランス運動を行うことができ、こうして構造をシンプルにし、コストを引き下げ、組立てをスピードアップする効果を実現することができる。
【図面の簡単な説明】
【０００８】
【図１】本考案の一実施形態の立体図である。
【図２】本考案の一実施形態の部分立体分解図である。
【図３】本考案の一実施形態の立体分解図である。
【図４】本考案による右ステップ機構部分の一実施形態の前視図である。
【図５】本考案による左ステップ機構部分の一実施形態の前視図である。
【考案を実施するための形態】
【０００９】
図１乃至図５に示すとおり、本考案の実施形態によるコンパクトタイプステップスイング運動フィットネスマシンは、コ形フレーム台１、弧状三角フレーム台、ペダルフレーム、ハンドル棒４、或いはプルワイヤー５を有する。
【００１０】
コ形フレーム台１両端は、キャスター１３で、床面上のフレーム体に横方向に設置することができる。
中央サポートフレーム台１４上には、縦方向のラバー軸棒１０を固定して接続し、且つラバー軸棒１０前後端には、横方向にスイングする弧状三角フレーム台２を固定して接続する。
【００１１】
また、横方向コ形フレーム台１中央サポートフレーム台１４のラバー軸棒１０でない位置の前後は、それぞれ牽引棒１２により、ペダル３０を有する左右ペダルフレーム３と相互に枢接する。
【００１２】
左右ペダルフレーム３は、弧状三角フレーム台２と相互に枢接し、また弧状三角フレーム台２或いは左右ペダルフレーム３外端には、上向きのハンドル棒４或いはプルワイヤー５を、それぞれ螺合することができる。
【００１３】
実際の使用時には、使用者は、両足でペダル３０上にそれぞれ立ち、両手で左右のハンドル棒４或いはプルワイヤー５上端を握り、左右の足を順番に上下に力を入れて踏み込む。
これにより、ペダル３０は、左右ペダルフレーム３を連動し、相対的な上下移動動作を生じさせる。
こうして、弧状三角フレーム台２を連動し、ラバー軸棒１０をねじり、及び左右スイング移動を生じさせる。
並びに、ラバー軸棒１０のねじりにより、自動的に回復する引力を生じる。
【００１４】
これにおいて、往復ステップするなら、スイングねじりバランス運動を行うことができる。
こうして、構造をシンプルにし、コストを引き下げ、組立てをスピードアップする効果を実現することができる。
【００１５】
前述した本考案の実施形態は本考案を限定するものではなく、よって、本考案により保護される範囲は後述される実用新案登録請求の範囲を基準とする。
【符号の説明】
【００１６】
１  コ形フレーム台
２  弧状三角フレーム台
３  ペダルフレーム
４  ハンドル棒
５  プルワイヤー
１０  ラバー軸棒
１２  牽引棒
１３  キャスター
１４  中央サポートフレーム台
３０  ペダル
【手続補正２】
【補正対象書類名】実用新案登録請求の範囲
【補正対象項目名】全文
【補正方法】変更
【補正の内容】
【実用新案登録請求の範囲】
【請求項１】
コ形フレーム台（１）、弧状三角フレーム台（２）、ペダルフレーム（３）、ハンドル棒（４）を有するコンパクトタイプステップスイング運動フィットネスマシンであって、  前記コ形フレーム台（１）両端はキャスター（１３）で、床面上のフレーム体に横方向に設置でき、前記コ形フレーム台（１）の中央サポートフレーム台（１４）の上部には、縦方向のラバー軸棒（１０）を固定して接続し、且つ前記ラバー軸棒（１０）前後端には、横方向にスイングする弧状三角フレーム台（２）を固定して接続し、
前記コ形フレーム台（１）の中央サポートフレーム台（１４）のラバー軸棒（１０）でない位置の前後は、それぞれ牽引棒（１２）により、ペダルを有する左右ペダルフレーム（３）と相互に枢接し、
前記左右ペダルフレーム（３）は弧状三角フレーム台（２）と相互に枢接し、また前記左右ペダルフレーム（３）はペダル（３０）を備え、前記左右ペダルフレーム（３）外端には、上向きのハンドル棒（４）を螺合することを特徴とするコンパクトタイプステップスイング運動フィットネスマシン。
【請求項２】
前記弧状三角フレーム台（２）外端には、プルワイヤー（５）を螺合することを特徴とする請求項１に記載のコンパクトタイプステップスイング運動フィットネスマシン。